(57)【特許請求の範囲】
【請求項１】
カットアウト本体（１）に一体化された下部スカート（２）に管状ヒューズ（３）を挿入するために形成された装填口（４）を密封蓋（５）によって開閉自在に密封するように構成され、
前記密封蓋（５）の一端側は、前記下部スカート（２）の外側に設けた支持部材（２ａ）に回動自在に枢支される一方、前記密封蓋（５）の他端側は、前記下部スカート（２）の内側に設けた係止部材（６）に係脱自在に係止される円筒形高圧カットアウト（２０）において、
前記密封蓋（５）の他端側を、下方に向けて傾斜させてあることを特徴とする円筒形高圧カットアウト。
【請求項２】
前記密封蓋（５）の他端外側には、操作棒の先端工具（９，１０）を係止させるための係止部（８）を設けてあることを特徴とする請求項１に記載の円筒形高圧カットアウト。
【請求項３】
前記係止部（８）は、ＣＦ操作棒の円筒状の先端工具（９）を被嵌可能な突起状に形成され、かつ、ＰＣ操作棒の先尖り状の先端工具（１０）を係入可能な係止孔（８ａ）を有していることを特徴とする請求項２に記載の円筒形高圧カットアウト。
【請求項４】
前記密封蓋（５）の内面には、衝撃を吸収することができる弾性材（１１）が付設されていることを特徴とする請求項１乃至３の何れかに記載の円筒形高圧カットアウト。
【請求項５】
前記密封蓋（５）は、中央部を凹ませて深底状に形成されることを特徴とする請求項１乃至４の何れかに記載の円筒形高圧カットアウト。
【請求項６】
前記密封蓋（５）の内面には、螢光塗料が塗布されていることを特徴とする請求項１乃至５の何れかに記載の円筒形高圧カットアウト。
【発明の詳細な説明】
【技術分野】
【０００１】
本発明は、高圧配電線路の変圧器の一次側保護用として用いられる円筒形高圧カットアウトに係り、詳しくは、管状ヒューズを挿入するための装填口に着脱自在に設けられる密封蓋の支持構造等に関する。
【背景技術】
【０００２】
円筒形高圧カットアウトは、例えば、図６に示すように、カットアウト本体１の下部に一体化された下部スカート２に、管状ヒューズ３を装填するための円形状の装填口４を設けており、その装填口４には、塩水や異物の侵入を防止するための円板状に形成された密封蓋５が着脱自在に取り付けられる（例えば、特許文献１参照）。その密封蓋５は、装填口４に設けられている係止爪６によって係脱自在に係止され、かつ、紐体７を介してカットアウト本体１に連結され、その背面側（外側）には、ＣＦ操作棒の先端に設けられている間接活線先端工具を係入させるための係止穴５ｈが形成されている。なお、カットアウト本体１は碍子により形成され、下部スカート２は硬質樹脂材の一体成形により形成される。
【０００３】
このような構成により、電流遮断時における管状ヒューズ３の放出圧力（アーク及びガスを含む）が密封蓋５に作用すると、密封蓋５は装填口４から離脱するが、その際に、紐体７によってカットアウト本体１に吊り下げられた状態に保持されるため、その密封蓋５を再度の使用に供することができる。即ち、新しい管状ヒューズを装填するには、ＣＦ操作棒によって管状ヒューズをカットアウト本体１内に挿入した後、吊り下げ状態の密封蓋５をＣＦ操作棒によって装填口４に押込み係止爪６に係止させるようにしていた。
【０００４】
【特許文献１】特開平９−２８２９９８号公報
【発明の開示】
【発明が解決しようとする課題】
【０００５】
しかし、上述のように、密封蓋５が紐体７を介してカットアウト本体１に連結されている場合には、吊り下げ状態になっている密封蓋５をＣＦ操作棒によって装填口４に係止させるのは容易ではなかった。即ち、通常、円筒形高圧カットアウトは高所に配設されているため、風が強いときには吊り下げ状態の密封蓋５は激しく揺らぐためＣＦ操作棒によって捉えるのが容易ではなかった。また、密封蓋５の背面側（外側）に設けられている係止穴５ｈの内壁はストレートに形成されているため、折角ＣＦ操作棒で密封蓋５を捉えてもその係止穴５ｈに円筒状の間接活線先端工具を係入させるのは容易ではなかった。さらに、密封蓋５が激しく揺らぐときには、紐体７が電柱の腕金や高圧配電線に引っ掛かり大きなトラブルの原因になることもあり、その紐体７が切れて密封蓋５が紛失してしまうこともあった。
【０００６】
本発明は、このような実情に鑑みてなされ、操作棒により密封蓋を容易に開閉できるようにした円筒形高圧カットアウトを提供することを目的とする。
【課題を解決するための手段】
【０００７】
（１）本発明の円筒形高圧カットアウトは、カットアウト本体１に一体化された下部スカート２に管状ヒューズ３を挿入するために形成された装填口４を密封蓋５によって開閉自在に密封するように構成され、前記密封蓋５の一端側は、前記下部スカート２の外側に設けた支持部材２ａに回動自在に枢支される一方、前記密封蓋５の他端側は、前記下部スカート２の内側に設けた係止部材６に係脱自在に係止される円筒形高圧カットアウト２０において、前記密封蓋５の他端側を、下方に向けて傾斜させてあることを特徴とする。
【０００８】
このような構成によれば、電流遮断時における管状ヒューズ３の放出圧力（アーク及びガスを含む）が密封蓋５に作用すると、密封蓋５の他端側は、下部スカート２の内側に設けた係止部材６から離脱して密封蓋５が開放され、溶出した管状ヒューズ３が外部に放出される。
【０００９】
その密封蓋５の一端側は、下部スカート２に設けた支持部材２ａに回動自在に枢支されているため、密封蓋５は下部スカート２に接続された状態で開放される。従って、新しい管状ヒューズをカットアウト本体１に挿入する際には、操作棒で密封蓋５を容易に捉えることができ、その開閉作業が容易となる。また、密封蓋５が紛失することもない。
さらに、前記密封蓋５の他端側を、下方に向けて傾斜させているため、電流遮断時に密封蓋５に作用する管状ヒューズ３の放出圧力（アーク及びガスを含む）が密封蓋５の他端側に向かうため、一端側に設けてある蓋支持部に作用する衝撃を緩和することができる。
【００１０】
（２）前記密封蓋５の他端外側には、操作棒の先端工具９，１０を係止させるための係止部８を設けてあってもよい。このようにすれば、密封蓋５を開閉する際に、操作棒の先端工具９又は１０を係止部８に係止させることで、その開閉作業が容易となる。
【００１１】
（３）前記係止部８は、ＣＦ操作棒の円筒状の先端工具９を被嵌可能な突起状に形成され、かつ、ＰＣ操作棒の先尖り状の先端工具１０を係入可能な係止孔８ａを有していてもよい。このようにすれば、ＣＦ操作棒又はＰＣ操作棒の何れを用いても、その先端工具９又は１０を係止部８に係止させて密封蓋５の開閉作業を行うことができ利便性が向上する。
【００１２】
（４）前記密封蓋５の内面には、衝撃を吸収することができる弾性材１１が付設されていてもよい。このようにすれば、電流遮断時に密封蓋５に作用する管状ヒューズ３の放出圧力（アーク及びガスを含む）による衝撃を弾性材１１によって吸収緩和することができ、密封蓋５及びその支持構造の長寿命化が可能となる。
【００１３】
（５）前記密封蓋５は、中央部を凹ませて深底状に形成されてもよい。このようにすれば、電流遮断時における管状ヒューズ３の放出圧力の影響を緩和することができる。
【００１４】
（６）前記密封蓋５の内面には、螢光塗料が塗布されていてもよい。このようにすれば、電流遮断時における管状ヒューズ３の放出圧力（アーク及びガスを含む）が密封蓋５に作用して密封蓋５が開放されると、その内面に塗布されている螢光塗料が外部に露出するため、トラブルの発生を外部から容易に検知することができる。
【発明の効果】
【００１５】
本発明の円筒形高圧カットアウトは、カットアウト本体に一体化された下部スカートの装填口に密封蓋を開閉自在に設けたので、電流遮断時における管状ヒューズの放出圧力（アーク及びガスを含む）が密封蓋に作用すると、密封蓋の他端側が下部スカートの内側に設けた係止部材から離脱して密封蓋が開放され、溶出した管状ヒューズが外部に放出される。その密封蓋は、その一端側をカットアウト本体と一体の下部スカートに接続された状態で開放されるため、新しい管状ヒューズをカットアウト本体に挿入する際には、操作棒で密封蓋を容易に捉えることができ、その閉止作業を容易に行うことができる。
【発明を実施するための最良の形態】
【００１６】
以下に、本発明の最良の実施の形態に係る円筒形高圧カットアウトについて図面を参照しつつ詳細に説明する。
図１は円筒形高圧カットアウト２０の外形図、図２は図１のＢ−Ｂ線矢視断面図である。これらの図にて、符号１は円筒形のカットアウト本体、２は下部スカートで、カットアウト本体１の下部に一体化されている。３は管状ヒューズで、下部スカート２に形成された装填口４からカットアウト本体１内に装填される。５は、円板状の密封蓋で、下部スカート２の装填口４を開閉自在に密封する。
【００１７】
上述の密封蓋５の一端側には、略Ｌ字状に折曲された支持アーム５ａが形成され、その支持アーム５ａの二股状に形成された先端部に穿設されたボルト孔（図示省略）を、下部スカート２の外側に突設した支持部材２ａに穿設されたボルト孔（図示省略）に対応させ、これらのボルト孔にボルトｂを挿通させてナットｎで締結することにより、密封蓋５が下部スカート２に回動自在に枢支される。一方、前記密封蓋５の他端側端部は、下部スカート２の内側に設けた係止部材６に係脱自在に係止される。なお、係止爪６は、ばね板材からなり、拡大図に示すように、下部スカート２に形成された凹部２ｂ内に嵌め込まれている。
【００１８】
この密封蓋５の他端外側には係止部８を設けてあり、この係止部８は、ＣＦ操作棒の円筒状に形成された間接活線先端工具９を被嵌可能な突起状に形成され、かつ、ＰＣ操作棒の先尖り状に形成された間接活線先端工具１０を係入可能な係止孔８ａを有している。従って、ＣＦ操作棒又はＰＣ操作棒の何れを用いても、密封蓋５を開閉することができる。即ち、ＣＦ操作棒を用いる場合には、その間接活線先端工具９を係止部８に押込み被嵌させて密封蓋５の開方向又は閉方向に操作することで密封蓋５を開閉することができる。また、ＰＣ操作棒を用いる場合には、その間接活線先端工具１０を係止孔８ａに係入させて密封蓋５の開方向又は閉方向に操作することで密封蓋５を開閉することができる。なお、図２には、開状態の密封蓋５を二点鎖線で示す。
【００１９】
このような構成の円筒形高圧カットアウト２０によれば、電流遮断時における管状ヒューズ３の放出圧力（アーク及びガスを含む）が密封蓋５に作用すると、密封蓋５の他端側端部が下部スカート２の内側に設けた係止部材６から離脱し、密封蓋５が開放され、溶出した管状ヒューズ３が外部に放出される。密封蓋５の一端側が下部スカート２に枢支されているため、新しい管状ヒューズをカットアウト本体１に挿入する際には、ＣＦ操作棒又はＰＣ操作棒で密封蓋５を容易に捉えることができ、その開閉作業が容易となる。また、密封蓋５が紛失することがない。そして、本実施の形態では、密封蓋５を枢支するボルトｂを密封蓋５の中心から外方に離間した位置に配設しているため、電流遮断時に管状ヒューズ３の大きな放出圧力が密封蓋５に作用しても、ボルトｂ及びその支持構造に対する衝撃的な負荷を軽減緩和することができ、良好な耐久性を確保することができる。
【００２０】
図３は異なる実施の形態を示し、この例では、密封蓋５の内面に、衝撃を吸収することができる弾性材１１を付設している。この弾性材１１は、例えば、耐熱性の合成ゴムからなる本体１１ａの上面に遮熱用の金属板１１ｂを貼着したものが好ましい。このような構成にすることで、電流遮断時に密封蓋５に作用する管状ヒューズ３の放出圧力による衝撃を弾性材１１によって吸収緩和することができ、密封蓋５及びその支持構造の長寿命化が可能となる。なお、前実施の形態（及び従来例）と同一部材又は同等部材については同一符号を付し、その説明を省略する。この点については、その他の実施の形態においても同様である。
【００２１】
図４は別の実施の形態を示し、この例では、密封蓋５の他端側を下方に向けて傾斜させている。このようにすれば、電流遮断時に密封蓋５に作用する管状ヒューズ３の放出圧力による衝撃的な負荷が密封蓋５の他端側に向かうため、一端側に設けてあるボルトｂ及びその支持構造に対する衝撃的な負荷を軽減緩和することができ、良好な耐久性を確保することができる。
【００２２】
図５はさらに別の実施の形態を示し、この例では、密封蓋５の外面に、ＣＦ操作棒の間接活線先端工具１０を係入させるための係止穴５ｂを形成すると共に、支持アーム５ａの枢支点側に外向きに突出させた蓋解放用の操作片５ｃを形成している。その係止穴５ｂは、従来のものよりも浅く形成され、かつ、間接活線先端工具１０を係止させやすくするために、下向き（外向き）の喇叭状に形成されている。
【００２３】
このような構成によれば、密封蓋５を開く際には、操作片５ｃに下方から間接活線先端工具１０を押し当てて押し上げればよく、閉じる際には、係止穴５ｂに間接活線先端工具１０を押し込み押し上げればよい。その係止穴５ｂが喇叭状に形成されており、かつ、密封蓋５が下部スカート２に接続された状態で開放されているため、間接活線先端工具１０を係止穴５ｂに押し込むのは容易であり、前各実施の形態と同様に、密封蓋５を作業性よく開閉することができる。
【００２４】
また、図示は省略するが、前記各実施の形態に示す円筒形高圧カットアウト２０において、密封蓋５の内面に螢光塗料を塗布するのが好ましい。このようにすれば、電流遮断時における管状ヒューズ３の放出圧力が密封蓋５に作用して密封蓋５が開放されると、その内面に塗布されている螢光塗料が外部に露出するため、トラブルの発生を外部から容易に検知することができる。
【００２５】
なお、本発明は、実施の形態に限定されることなく、発明の要旨を逸脱しない限りにおいて、適宜、必要に応じて、設計変更や改良等を行うのは自由であり、また、各実施の形態間での構成の組み合わせも自由である。例えば、実施の形態では、密封蓋５を円板状に形成しているが、楕円状に形成してもよい。また、密封蓋５を平板状に形成しているが、略中央部あたりを凹ませて深底状に形成して電流遮断時における管状ヒューズ３の放出圧力の影響を緩和するようにしてもよい。
【図面の簡単な説明】
【００２６】
【図１】本発明の実施の形態に係る円筒形高圧カットアウトの外形図である。
【図２】同図１のＢ−Ｂ線矢視断面図である。
【図３】同異なる実施の形態に係る円筒形高圧カットアウトの断面図である。
【図４】同別の実施の形態に係る円筒形高圧カットアウトの断面図である。
【図５】同さらに別の実施の形態に係る円筒形高圧カットアウトの断面図である。
【図６】従来の円筒形高圧カットアウトの一例を示す断面図である。
【符号の説明】
【００２７】
１…カットアウト本体、２…下部スカート、３…管状ヒューズ、４…装填口、５…密封蓋、６…係止部材、８…係止部、８ａ…係止孔、９，１０…先端工具、１１…弾性材
【図１】
0004707572.tif 000002
【図２】
0004707572.tif 000003
【図３】
0004707572.tif 000004
【図４】
0004707572.tif 000005
【図５】
0004707572.tif 000006
【図６】
0004707572.tif 000007